(57)【要約】【課題】切り管の外周に突部成形用リングをビスにより取付る際、管壁の肉厚の薄い挿し口であっても非貫通の下穴を容易に穿設することを課題とする。【解決手段】挿し口３に突部７を形成するため挿し口３外周に嵌めつけられる一つ割りリング８の固定用ネジ１０の下穴１２を穿孔するドリル刃１３の先端に、下穴１２の深さＴだけドリル刃１３の先端部を突出させ、かつ先端面周囲１４ａが下穴周囲表面１２ａに当接するストッパ１４を、ドリル刃１３に対し軸方向には相対移動できないが、軸周囲に遊転可能に支持してなる。【選択図】  図１
2005081490.tif 000002
【特許請求の範囲】
【請求項１】
挿し口に突部を形成するため挿し口外周に嵌めつけられる一つ割りリングの固定用ネジの下穴を穿孔するドリル刃の先端に、下穴の深さだけ前記ドリル刃の先端部を突出させ、かつ先端面周囲が前記下穴周囲表面に当接するストッパを、前記ドリル刃に対し軸方向には相対移動できないが、軸周囲に遊転可能に支持してなる挿し口リングの締結ネジ用下穴穿設工具。
【請求項２】
請求項１の挿し口リングの締結ネジ用下穴穿設工具において、ストッパの後端面に接する筒体が、前記ドリル刃外周に外嵌固定されてなる挿し口リングの締結ネジ用下穴穿設工具。
【請求項３】
請求項１又は請求項２の挿し口リングの締結ネジ用下穴穿設工具において、ストッパ外周に切屑排出用の開口部が設けられてなる挿し口リングの締結ネジ用下穴穿設工具。
【発明の詳細な説明】
【技術分野】
【０００１】
この発明は、挿し口リングの締結ネジ用下穴穿設工具に関し、詳しくは鋳鉄管などの金属管の挿し口外面に挿口突部を成形する場合に使用される挿し口リングの締結ネジ用下穴穿設工具の改良に関する。
【背景技術】
【０００２】
管継手として、図５に示すように一方の管１ａの管端に形成した受口２内に他方の管１ｂの管端を挿し口３として挿入し、受口２内面と挿し口３外面との間にシールゴム４を介挿することにより継手部の水密性を図ると共に、受口２内面に形成した収納溝５にロックリング６を収納し、挿し口３の先端部に突部７を形成して、挿し口３と受口２との間に軸方向抜け出し力が作用したときは、突部７がロックリング６に係り合って離脱しないようにした管継手が知られている（非特許文献１）。
【０００３】
ところで、管路を敷設する場合、管を切断しなければならない場合があり、このように切断した管を挿し口として上記した離脱防止継手とするには、管路敷設施工現場で挿し口端部に突部を形成しなければならなくなる。
【０００４】
このような挿し口突部を施工現場で取り付ける場合は、従来、図６で示すように、挿し口３外面に突部成形用の一つ割りリング８を嵌めつけ、両者を治具（図示せず）で矢印方向へ締付けて割り部８ａに結合ピース９を架設し、締め付け状態のままブラインドリベット１０、１０で固定することによって取り付けることが行われていた（特許文献１）。
【０００５】
また、割り部８ａに結合ピース９を架設してブラインドリベット１０、１０で固定する構成に代え、図７に示すように、タッピングビス１０ａを挿し口３の管外周にまでねじ込んで固定するといったことも考えられる。
【非特許文献１】平成１３年１０月１５日日本ダクタイル鉄管協会発行「便覧」Ｐ２８７所載「ＮＳ形」
【特許文献１】特開平９-１７８０５３号公報
【発明の開示】
【発明が解決しようとする課題】
【０００６】
しかしながら、突部成形用の一つ割りリング８をタッピングビス１０により挿し口３の管壁に直接ビス止する場合、挿し口３外面にタッピングビス１０のネジ嵌合する下穴１１が設けられていなければならないが、挿し口３の管壁の厚さは、小、中口径の場合は６〜１５ミリ前後と非常に薄く、このような管壁に非貫通の下穴を穿設するには、工具の扱いを注意深く行わなければならず、不慣れや不注意により下穴を貫通させてしまうことが間々あるといった問題があった。
【０００７】
この発明は上記問題点を解消し、管壁の肉厚の薄い挿し口１であっても非貫通の下穴を容易に穿設することを課題としてなされたものである。
【課題を解決するための手段】
【０００８】
この課題を達成するため本発明は、挿し口に突部を形成するため挿し口外周に嵌めつけられる一つ割りリングの固定用ネジの下穴を穿孔するドリル刃の先端に、下穴の深さだけ前記ドリル刃の先端部を突出させ、かつ先端面周囲が前記下穴周囲表面に当接するストッパを、前記ドリル刃に対し軸方向には相対移動できないが、軸周囲に遊転可能に支持してなるものである。
【発明の効果】
【０００９】
したがって、この発明によれば、ドリルを一つ割りリングの表面から挿し口管に対して径方向に切り込ませていっても、一定深さとなればストッパによりドリルだけが空転し、それ以上深く切り込んでいくのが防止され、非貫通のビス用下穴が容易に穿設できる。
【００１０】
また、ストッパはドリルに対し遊転可能に取り付けられているので、ビス用下穴を穿設中ストッパが下穴周囲の下地に触れると、ドリルが回転していてもストッパは回転を停止するため、ストッパの先端が触れる下地に防食塗装などが施されていても、ストッパとの摩擦によって損傷を受けることはない。
【発明を実施するための最良の形態】
【００１１】
次にこの発明の実施の形態である挿し口リングの締結ネジ用下穴穿設工具を説明する。
図１は、この発明の実施の形態である挿し口リングの締結ネジ用下穴穿設工具の要部断面図、図２は分解斜視図である。
【００１２】
図１において、１１は挿し口リングの締結ネジ用下穴穿設工具を示し、固定用ネジ１０の下穴１２を穿孔するドリル１３の先端に、下穴１２の深さＴだけ先端部を突出させるストッパ１４を設けることにより構成されている。なお、図中１７はチャック、１８は駆動モータ部を示す。
【００１３】
このストッパ１４は、図示のように、端面周囲１４ａが下穴１２の周囲１２ａに当接するカップ状の形状とされ、また、ドリル刃１３に対し軸方向（矢印Ａ方向）へは相対移動出来ないがドリル刃１３を中心として遊転可能に支持されている。
【００１４】
このストッパ１４を軸方向へ相対移動できないように支持する構成は、図１に示すようにストッパ１４の背面側１４ｂに、ドリル１３のシャンク１３ｓに止着ネジ１３ｂにより止着される金属性の筒状体１５を設け、この筒状体１５の端面１５ａに突設した軸受け部１５ｂを、ストッパ１４の背面側１４ｂに形成した軸穴１４ｃに挿通し、この軸穴１４ｃに貫通させた軸受け部１５ｂの先端をフランジ状に拡径するなどして拡径部１５ｃを設け、この拡径部１５ｃによりストッパ１４が軸方向に支持されつつ、ドリル周囲に遊転可能に支持されるように構成されている。
【００１５】
なお、ストッパ１４には特に強大な力が加わることが無いので材質は金属製とする他、例えばＭＣナイロンなど、エンジニヤリングプラスチックとしたものであっても良い。
次に、この挿し口リングの締結ネジ用下穴穿設工具１１の使用状態について説明する。
図１、図２に示したように、挿し口３外周に周方向凹溝３ａを形成し、この周方向凹溝３ａに嵌合する突起７ａを有する突部成形用の一つ割りリング７を嵌合する。
【００１６】
そして、一つ割りリング７が挿し口３外面に隙間無く沿うように締め付けた後、挿し口リング７の割り部７ｂ近傍に設けたビス用貫通孔１０ａよりドリル１３を差込、挿し口３外面にビス用下穴を穿設する。
【００１７】
このとき、ドリル１３は穿設の進行に伴い次第に穿孔深さを増して行くが、下穴１２の深さＴが、図３に示すようにストッパ１４が挿し口リング７外周に当接すれば、それ以上堀り進んでいくのが防止され、もって下穴深さが一定に規制され、挿し口３の管壁が薄くても貫通する恐れなく一定の深さの下穴１２を穿設することができる。
【００１８】
また、ストッパ１４には、図４に示すように切屑の排出用の切り込み１６…１６を設けることが望ましい。この場合、下穴１２の穿設深さがＴに近づいたときに、ドリルによって排出される切屑が切り込み１６…から外部へと排出されるので、切屑排出のために穿孔作業を中断することなくスムーズに行える。
【００１９】
以上説明したように、この発明の挿し口リングの締結ネジ用下穴穿設工具によれば、挿し口外周に一つ割りリングをビスによって止め付けるための下穴を穿設する際、挿し口の管壁が薄くても、非貫通の下穴を容易に穿設することが出来る。従って、管路敷設施工現場で切り管に挿し口突部を設ける作業が非常に容易となる。
【００２０】
また、構造も簡単なため、製造なども容易に出来るなどの効果を有する。
【図面の簡単な説明】
【００２１】
【図１】この発明の実施の形態である挿し口リングの締結ネジ用下穴穿設工具の要部断面図である。
【図２】この発明の実施の形態である挿し口リングの締結ネジ用下穴穿設工具の分解斜視図である。
【図３】挿し口リングの締結ネジ用下穴穿設工具により下穴を穿設した状態を示す断面図である。
【図４】図３のＡ-Ａ線断面である。
【図５】従来の管継手の一例を示す要部断面図である。
【図６】従来の挿し口突部の締結構造を示す要部断面図である。
【図７】従来の挿し口突部の他の締結構造を示す要部断面図である。
【符号の説明】
【００２２】
１１      挿し口リングの締結ネジ用下穴穿設工具
１０      固定用ネジ
１２      下穴
１３      ドリル刃
１４      ストッパ
１４ａ    ストッパの下端面
１４ｂ    ストッパの背面
１５      金属性の筒状体
１５ａ    金属性の筒状体の端面
１５ｂ    軸受け部
１５ｃ    拡径部
【図１】
2005081490.tif 000003
【図２】
2005081490.tif 000004
【図３】
2005081490.tif 000005
【図４】
2005081490.tif 000006
【図５】
2005081490.tif 000007
【図６】
2005081490.tif 000008
【図７】
2005081490.tif 000009